(57)【特許請求の範囲】
【請求項１】
幼児を受け入れる受け入れ空間を囲む筐体部であって、透明な材料を少なくとも一部が有する、筐体部；及び
前記筐体部と一体化された少なくとも１つの照明部であって、エネルギー供給されるときに、４００ｎｍ乃至５５０ｎｍの範囲内の波長を有し、１０μＷ／ｃｍ２／ｎｍ乃至３５μＷ／ｃｍ２／ｎｍの範囲内の放射照度を有する光を投射する少なくとも１つの発光ダイオード部を有する、少なくとも１つの照明部；を有し、
前記筐体部は相互に連続した複数のパネルによって形成され、前記複数のパネルは、前記少なくとも１つの照明部に係る陽極層および陰極層のための基板として機能する第１のパネルを含み、前記第１のパネルは、透明な材料から成り、前記第１のパネルを通じて前記受け入れ空間が前記光に曝される、
ことを特徴とする光治療装置。
【請求項２】
前記筐体部は、前記筐体部に取り付けられた少なくとも１つの手袋部を有する少なくとも１つの開口を有し、ユーザは、前記少なくとも１つの手袋部を用いて前記受け入れ空間内で１つ又は複数のオブジェクトを操作することができる、請求項１に記載の光治療装置。
【請求項３】
前記筐体部の少なくとも一部は、開口を通って幼児が移動できる開口を備えるように、移動可能であり、前記幼児は前記受け入れ空間内に位置付けられて、前記受け入れ空間から移動されることが可能である、請求項１に記載の光治療装置。
【請求項４】
前記少なくとも１つの発光ダイオード部は、エネルギー供給されないときに、透明である、請求項１に記載の光治療装置。
【請求項５】
前記筐体部は、頂部と、前記頂部に平行に備えられた底部と、４つの側部とを有し、前記４つの側部は、互いに平行に備えられた２つの長い側部と、互いに平行に備えられた２つの短い側部とを有する、請求項１に記載の光治療装置。
【請求項６】
前記少なくとも１つの照明部は前記筐体部の外側面にある、請求項１に記載の光治療装置。
【請求項７】
前記照明部は、前記受け入れ空間に光を投射する少なくとも１つの発光面を有し、前記少なくとも１つの照明部は前記筐体部の一部に一体化され、前記照明部の少なくとも前記発光面は前記筐体部の透明な材料により覆われている、請求項１に記載の光治療装置。
【請求項８】
前記照明部は２つ又はそれ以上の発光ダイオード部を有し、少なくとも第１発光ダイオード部は前記筐体部の前記頂部に取り付けられ、少なくとも第２発光ダイオード部は前記筐体部の前記底部に取り付けられている、請求項５に記載の光治療装置。
【請求項９】
前記少なくとも１つの発光ダイオード部は有機発光ダイオード部を有する、請求項１に記載の光治療装置。
【請求項１０】
複数の透明なパネルにより画定される制御された環境；及び
４００ｎｍ乃至５５０ｎｍの範囲内の波長を有し、１０μＷ／ｃｍ２／ｎｍ乃至３５μＷ／ｃｍ２／ｎｍの範囲内の放射照度を有する光を投射する、少なくとも１つの透明なパネルと一体化した少なくとも１つの照明部であって、エネルギー供給されるときに、光を投射する少なくとも１つの発光ダイオード部を有する、少なくとも１つの照明部；を有し、
筐体部が相互に連続した複数のパネルによって形成され、前記複数のパネルは、前記少なくとも１つの照明部に係る陽極層および陰極層のための基板として機能する第１のパネルを含み、前記第１のパネルは、透明な材料から成り、前記第１のパネルを通じて受け入れ空間が前記光に曝される、
ことを特徴とする光治療装置。
【請求項１１】
前記複数の透明なパネルは、少なくとも１つの開口に取り付けられた少なくとも１つの手袋部を有する少なくとも１つの開口を有し、ユーザは、前記少なくとも１つの手袋部を用いて、前記制御された環境内で１つ又は複数のオブジェクトを操作することができる、請求項１０に記載の光治療装置。
【請求項１２】
前記複数の透明なパネルの少なくとも１つのパネルは、開口を通って幼児が移動できる開口を備えるように、移動可能であり、前記幼児は前記制御された環境内に位置付けられて、前記制御された環境から移動されることが可能である、請求項１０に記載の光治療装置。
【請求項１３】
前記少なくとも１つの発光ダイオード部は、エネルギー供給されないときに、透明である、請求項１０に記載の光治療装置。
【請求項１４】
前記複数の透明なパネルは：
頂部パネル；
前記頂部パネルに平行に備えられた底部パネル；及び
互いに平行に備えられた２つの長い側部パネルと、互いに平行に備えられた２つの短い側部パネルとを有する、４つの側部パネル；
を少なくとも有する、請求項１０に記載の光治療装置。
【請求項１５】
前記少なくとも１つの照明部は前記頂部パネルにある、請求項１４に記載の光治療装置。
【請求項１６】
前記照明部は頂部及び底部を有し、前記照明部の少なくとも前記底部は前記制御された環境に光を投射し、前記少なくとも１つの照明部は、前記複数の透明なパネルの少なくとも１つのパネルに一体化され、前記照明部の少なくとも前記底部は透明な材料により覆われている、請求項１０に記載の光治療装置。
【請求項１７】
前記照明部は２つ又はそれ以上の発光ダイオード部を有し、少なくとも第１発光ダイオード部は前記頂部パネルに取り付けられ、少なくとも第２発光ダイオード部は前記底部パネルに取り付けられている、請求項１４に記載の光治療装置。
【請求項１８】
前記少なくとも１つの発光ダイオード部は有機発光ダイオード部を有する、請求項１０に記載の光治療装置。
【発明の詳細な説明】
【技術分野】
【０００１】
本発明は、幼児又は他の患者のためのインキュベータに基づく光治療装置に関する。
【背景技術】
【０００２】
一部の測定によると、通常の新生児の６０％は、人生の最初の一週間に黄疸（高ビリルビン血症）を発症する。黄疸である新生児の殆どは他の点では健康であるが、ビリルビンが中枢神経系に対して潜在的に有害であるため、彼等は、必要に応じて、モニタリング及び治療する必要がある。
【０００３】
光治療は、新生児の黄疸の治療のための処置の標準的なものである。光治療は、ビリルビンの形状及び構造を変える光エネルギーを用いて、排泄することが可能な分子に変換することにより、血清ビリルビンの濃度を低下させることができる。光治療の有効性は、光のスペクトル及び強度により主に決定される。
【０００４】
一部の実施例においては、光治療は、インキュベータの上方に位置付けられているスタンドに備えられた光ユニットを介して患者に光を供給するインキュベータを介して患者に適用される。しかしながら、そのような既存のシステムは、大型の外部光ユニットを必要とする。その光ユニットは、かなりの量の空間を占め、ワークフロー関連の障害を与える。他の非効率性は、光治療処置装置にも存在する。
【発明の概要】
【課題を解決するための手段】
【０００５】
本発明は、有機発光ダイオード（ＯＬＥＤ）を有する発光部及び筐体を用いる、患者に光治療を提供する装置に関する。筐体は、例えば、幼児等の患者を受け入れる及び／又は収容する環境及び／又は受け入れ空間を規定することが可能である。ＯＬＥＤは、制御された環境／受け入れ空間に光を投射することが可能である。
【０００６】
筐体は、頂部、底部及び複数の側部を有し、側部の各々は頂部及び底部に接続することが可能である。一部の実施形態においては、筐体の頂部、底部及び側部の１つ又は複数が透明パネルであることが可能である。一部の実施形態においては、透明であるように所望される筐体のパネル又は他の部分は、例えば、ガラス、アクリルガラス（例えば、プレキシガラス）及び／又は他の透明な材料から成ることが可能である。
【０００７】
一部の実施形態においては、筐体は、制御された環境及び／又はそこに位置付けられた何れかの患者にアクセスすることができる、１つ又は複数の開口を有することが可能である。一部の実施形態においては、筐体の１つ又は複数の部分／パネルは、患者（例えば、幼児）が制御された環境／受け入れ空間内に位置付けられる及びその空間から移動されることが可能であるように、移動可能である（例えば、取り外し可能である、他の部分／パネルにヒンジ付け可能である、等）。
【０００８】
装置の照明部は、制御された環境／受け入れ空間内に光を投射する。本明細書で説明するように、照明部は、エネルギー供給されるときに光を発する有機発光ダイオード（ＯＬＥＤ）を有するパネルを有することが可能である。一部の実施形態においては、光治療のための光を投射するように用いられるＯＬＥＤは、エネルギー供給されないときに、透明であることが可能である。有機発光ダイオードは、複数の層及び何れかの関連する電気的構成要素を有することが可能である。
【０００９】
一部の実施形態においては、照明部は、制御された環境内に４００ｎｍ乃至５５０ｎｍの範囲内の波長を有する光を投射することが可能である。４００ｎｍ乃至５５０ｎｍの範囲内の波長は、患者の黄疸の治療で有効であるために、用いられることが可能である。しかしならが、一部の実施形態においては、他の波長及び他の波長の範囲を有する光を用いることが可能である。
【００１０】
一部の実施形態においては、照明部は、１０乃至３５μＷ／ｃｍ２／ｎｍの範囲内の放射照度を与える光を制御された環境に投射することが可能である。１０乃至３５μＷ／ｃｍ２／ｎｍの範囲内の放射照度は、患者の黄疸の治療のために適切な放射照度を与えることが可能である。しかしながら、他の放射照度又は他の放射照度の範囲を用いることも可能である。
【００１１】
一部の実施形態においては、照明部は、１５００Ｌｍ乃至２０００Ｌｍの範囲内の強度の光を制御された環境に投射することが可能である。
【００１２】
一部の実施形態においては、単独のＯＬＥＤパネルが照明部として用いられることが可能である。一部の実施形態においては、光治療のための所望の光の強度を得るように、本発明の照明部のために用いられるＯＬＥＤパネルは、特定の表面積を有する必要がある。これは、所与のタイプのＯＬＥＤ技術により達成される光の強度に依存し得る。例えば、一部の実施例においては、０．５ｍ２のＯＬＥＤ表面積が、１５００乃至２０００Ｌｍの強度を得るのに必要である。一部の実施例においては、複数のＯＬＥＤパネルが、所望の光の強度を得るのに必要である。複数のＯＬＥＤパネルが、他の目的のためにも用いられることが可能である。
【００１３】
一部の実施形態においては、ＯＬＥＤパネルは、筐体の頂部に取り付けられることが可能である。一部の実施形態においては、ＯＬＥＤパネルは、頂部以外の筐体の部分（例えば、底部及び／又は側部）に位置付けられることが可能である。
【００１４】
本発明の上記の及び他の目的、特徴及び特性、動作方法、構造の関連要素の機能、構成要素の組み合わせ並びに製造の経済性について、添付図を参照して、以下の説明及び特許請求の範囲を考慮するときにより、より明らかになり、それらの全ては本明細書の一部を構成し、同じ参照番号は複数の図において対応する構成要素を表す。しかしながら、図は例示目的のためのものであり、詳細説明は、本発明の制限を規定するように意図されていないことが、明確に理解できる。
【図面の簡単な説明】
【００１５】
【図１】本発明の複数の実施形態に従った光治療装置の実施例を示す図である。
【図２Ａ】本発明の複数の実施形態に従った光治療装置の実施例を示す図である。
【図２Ｂ】本発明の複数の実施形態に従った光治療装置の実施例を示す図である。
【図３】本発明の複数の実施形態に従った有機発光装置の実施例を示す図である。
【図４】本発明の複数の実施形態に従った光治療装置の実施例を示す図である。
【図５】本発明の複数の実施形態に従った光治療装置の実施例を示す図である。
【図６】本発明の複数の実施形態に従った、ＯＬＥＤ装置を有するパネルの断面の例を示す図である。
【発明を実施するための形態】
【００１６】
本発明の一態様は、筐体及び有機発光ダイオードを用いて、患者に光治療を提供する装置を提供する。図１は、本発明の複数の実施形態に従う光治療装置１００を示している。光治療装置１００は、筐体１０１と、照明部１０３とを有する。筐体１０１は、例えば、幼児等の患者を受け入れる及び／又は収容するための環境及び／又は受け入れ空間１０５を画定する。照明部１０３は、制御された環境／受け入れ空間１０５に光を投射する。
【００１７】
筐体１００は、頂部１０７ａ及び底部１０７ｂ（即ち、図１に示すように筐体１０１の下側）を有することが可能である。一部の実施形態においては、頂部１０７ａは、底部１０７ｂに対して平行な頂部パネルを有することが可能である。一部の実施形態においては、頂部１０７ａは複数のパネルを有することが可能である。例えば、図２Ａは、本発明の複数の実施形態に従った光治療装置２００であって、頂部２０１は複数のパネル２０１ａ乃至２０１ｅ（パネル２０１ｂは図２Ａにおいて隠れている）を有する、光治療装置２００を示している。図２Ａに示しているように、パネル２０１ａのみが底部２０３に対して平行であるが、一部の実施形態においては、本発明に従った筐体の頂部のパネルの何れも、筐体の底部に対して平行である必要はない。例えば、図２Ｂは、本発明の複数の実施形態に従った光治療装置２５０であって、頂部２５１はパネル２５１ａ及び２５１ｂを有し、それらの何れも、底部（図示せず）に対して平行でない。本発明は、筐体が患者を受け入れるのに適切である何れかの形状を有することが可能であることも考慮する。
【００１８】
図１を参照するに、一部の実施形態においては、底部１０７ｂは底部パネルを有することが可能である。一部の実施形態においては、患者が位置付けられることが可能であるクッション１０９又は他の要素が、底部１０７ｂの上面上の制御された環境内に備えられることが可能である。
【００１９】
筐体１０１は、側部１０７ｃ（即ち、図１の裏面パネル）、１０７ｄ（即ち、図１の前面パネル）、１０７ｅ（即ち、図１の左側パネル）及び１０７ｆ（即ち、図１の右側パネル）を有することが可能であり、それらのパネルの各々は、頂部１０７ａ及び底部１０７ｂに接することが可能である。一部の実施形態においては、側部１０７ｃ、１０７ｄ、１０７ｅ及び１０７ｆは複数の平坦なパネルを有することが可能である。一部の実施形態においては、側部１０７ｃ、１０７ｄ、１０７ｅ及び１０７ｆの１つ又は複数のパネルを有することが可能である。一部の実施形態においては、上方から見られるときに筐体が矩形形状にあるように、一部の側部は他の側部より長い（例えば、側部１０７ｃ及び１０７ｄは側部１０７ｅ及び１０７ｆより長い）ことが可能である。一部の実施形態においては、異なるサイズ／形状を有する筐体の一部のために図のような見え方又は他の見え方で見られるときに、筐体は他の形状にあることが可能である。
【００２０】
一部の実施形態においては、筐体１０１の複数のパネル１０７の１つ又は複数が透明なパネルであることが可能である。一部の実施形態においては、筐体１０１が一般に、透明な筐体であるように、パネルの全てが透明であることが可能である。一部の実施形態においては、透明であるように所望される筐体１０１のパネル又は他の部分は、例えば、ガラス、アクリルガラス（例えば、プレキシガラス）及び／又は他の透明な材料から成ることが可能である。
【００２１】
一部の実施形態においては、筐体１０１は、筐体において１つ又は複数の開口部であって、それらの開口部は制御された環境及び／又はその筐体内に位置付けられた何れかの患者にアクセスすることができる、開口部を有することが可能である。例えば、図１は、側部１０７ｄは開口部１１１ａ及び１１１ｂを有することが可能である。一部の実施形態においては、筐体の一部における開口部は、当該技術分野で知られている筐体内に伸ばすことができる、一体的に形成された手袋が備えられることが可能である。例えば、図５は、開口５０１ａ及び５０１ｂを有する光治療装置５００を示している。手袋５０３ａ及び５０３ｂは５０１ａ及び５０１ｂのそれぞれに関連し、故に、ユーザ（例えば、医療従事者、両親、介護人等）が、アイテム及び／又は制御された環境（例えば、幼児の及び何れかの関連衣服並びに／若しくは装置）を汚染することなく、制御された環境下でアイテムにアクセス及び／又は操作する（即ち、手袋５０３ａ及び５０３ｂの開いている部分は、開口５０１ａ及び５０１ｂのそれぞれに対して密閉されていて、故に、ユーザの手の皮膚は制御された環境に曝されない）ことが可能である。
【００２２】
一部の実施形態においては、患者が制御された環境１０５内に位置付けられる及びその環境から移動されることが可能であるように、筐体１０１の１つ又は複数の部分／パネルは移動可能である（例えば、取り外し可能である、他の部分／パネルに対してヒンジで動かされることが可能である、等）。例えば、頂部パネル１０７ａは、例えば、１つ又は複数のヒンジにより何れかの側部パネル（例えば、パネル１０７ｃ、１０７ｄ、１０７ｅ又は１０７ｆ）に接続されることが可能である。図５は、制御された環境内に幼児及び／又は何れかの関連器具（例えば、医療機器又はその部品）を位置付ける（及び、制御された環境から外す）ように開口５０９を備えることが可能であるように、ヒンジ５０７により背面部（図５では隠れている）に接続された頂部５０５ａを有することが可能である光治療装置５００を示している。
【００２３】
照明部１０３は、制御された環境１０５に光を投射する。一部の実施形態においては、照明部１０５は、エネルギー供給されるときに光を発する少なくとも１つの有機発光ダイオード（ＯＬＥＤ）パネルを有することが可能である。照明部１０３は、少なくとも１つのＯＬＥＤパネルに電力を供給することが可能であるリード線１１３を有することが可能である。一部の実施形態においては、リード線１１３は、少なくとも１つのＯＬＥＤパネルにエネルギー供給するように、電源（例えば、ＡＣコンセント、バッテリ又は他のＤＣ電源、若しくは他の電源）からの電気的結合を与えることが可能であるコネクタ１１５に少なくとも１つのＯＬＥＤパネルを接続することが可能である。一部の実施形態においては、照明部１０３は、少なくとも１つのＯＬＥＤパネルに選択的にエネルギー供給する及びエネルギー供給を止めるようにスイッチ（図示せず）を有することが可能である。複数のＯＬＥＤパネルが用いられる実施形態においては、複数のＯＬＥＤパネルの各々は、各々のＯＬＥＤパネルが選択的にエネルギー供給／エネルギー供給止めすることが可能であるように、ＯＬＥＤパネルをエネルギー供給／エネルギー供給止めする別個のスイッチ又は他の機構を有することが可能である。
【００２４】
複数のＯＬＥＤの数及び間隔は変更可能であり、本発明はこの点に限定されるものではない。一部の実施形態においては、光治療のための光を投射するように用いられるＯＬＥＤは、エネルギー供給されないときに透明であることが可能である（即ち、ＯＬＥＤを構成する複数の層は各々、ＯＬＥＤがエネルギー供給されないときに、透明であることが可能である）。有機発光ダイオードは、複数の層及び何れかの関連する電気的構成要素を有することが可能である。図３は、本発明の実施形態に従ったＯＬＥＤ３００の例を示している。ＯＬＥＤ３００は、本明細書の他の図に対してスケーリングして描かれていない。ＯＬＥＤ３００は、例えば、陰極３０１、発光層３０３（有機分子又は高分子を有することが可能である）、導電層３０５（有機分子又は高分子を有することが可能である）、陽極３０７、基板３０９（例えば、ガラス）及び／又は他の層又は構成要素を有することが可能である。本発明に従った光治療装置で用いられるＯＬＥＤは、光を生成するのに必要な又は所望される何れかの結線、電源及び／又は他の構成要素を有することも可能である。
【００２５】
一部の実施形態においては、照明部１０３は、制御された環境１０５に４００ｎｍ乃至５５０ｎｍの範囲内の波長を有する光を投射することが可能である。４００ｎｍ乃至５５０ｎｍの範囲内の波長は、患者の黄疸の治療に有効であるために、用いられることが可能である。しかしながら、一部の実施形態においては、他の波長又は波長範囲を有する光が用いられることが可能である。
【００２６】
一部の実施形態においては、照明部は、１０乃至３５μＷ／ｃｍ２／ｎｍの範囲内の放射照度を与える光を、制御された環境に投射することが可能である。１０乃至３５μＷ／ｃｍ２／ｎｍの範囲内の放射照度は、患者の黄疸の治療のために適切な放射照度を与えることが可能である。
【００２７】
一部の実施形態においては、照明部１０３は、１５００Ｌｍ乃至２０００Ｌｍの範囲内の強度の光を制御された環境１０５に投射することが可能である。
【００２８】
一部の実施形態においては、単独のＯＬＥＤパネルが照明部として用いられることが可能である。例えば、図１は、単独のパネルが照明部１０３として用いられ、頂部１０７ａに取り付けられていることを示している。照明部１０３のＯＬＥＤパネルは少なくとも１つの発光面を有する。一部の実施形態においては、ＯＬＥＤパネルは、少なくとも一部の光を発する２つの面を有することが可能であるが、それらの面の一の面は主発光面であり、一の面は“暗い”面とみなされる（たとえその面があるレベルの光を発することが可能であっても）。一部の実施形態においては、暗い面（又は非主発光面）は何れかの光を発することが可能でない。一部の実施形態においては、ＯＬＥＤパネルの暗い面は、ＯＬＥＤパネルの発光面が制御された環境に直接、曝され、故に、光が、ＯＬＥＤパネルから制御された環境１０５に直接、投射されるように、筐体１０１のパネルの内側面に備えられることが可能である。
【００２９】
一部の実施形態、特に、筐体１０１の少なくとも一部が透明な材料から成る実施形態においては、ＯＬＥＤパネルの発光面は、ＯＬＥＤパネルから投射される光が、制御された環境１０５に入いる前に、少なくとも１つの透明な部分を完全に透過する必要があるように、筐体１０１の少なくとも１つの透明な部分（例えば、図１に示されているパネル１０７）の外側面に備えられることが可能である。筐体の外側面にＯＬＥＤパネルを備えることは、ＯＬＥＤパネルの容易な取り外し及び取り替え（例えば、損傷したＯＬＥＤパネルを取り替えるための）の有利点を与えることが可能である。勿論、筐体１０１の内側面にＯＬＥＤパネルを備えることは、その内側面が容易にアクセス可能である（例えば、筐体１０１の他の部分に対してヒンジ付けされている）場合には、同様に容易な簡便さを提供することが可能である。
【００３０】
一部の実施形態においては、ＯＬＥＤパネル（例えば、図１に示すパネル１０７ａ）は、照明部１０３のＯＬＥＤパネルの発光面からの光が、制御された環境１０５に入る前に、筐体１０１の一部を透過する必要があるように、筐体１０１の一部の層に又は複数の層間に具現化される又は一体化されることが可能である。図６は、本発明の複数の実施形態に従った光治療装置の筐体のパネル６００の断面を示している。パネル６００は、本明細書の他の図に対してスケーリングして示されていない。パネル６００は、透明な材料（例えば、ガラス、アクリルガラス等）から成り、ＯＬＥＤパネル６０３のための面として機能することが可能である、内側部分６０１を有する。ＯＬＥＤパネル６０３は、陽極６０５、導電層６０７、発光層６０９、陰極６１１及びリード線６１３（ＯＬＥＤ６０３の回路を完成させる役割を果たすことが可能である）を有することが可能である。パネル６００は、透明な材料から成ることも可能である外側部分６１５を有することも可能である。一部の実施形態においては、筐体に一体化されたＯＬＥＤパネルは、筐体とは別個の基板を有することが可能である。これは、より簡便な及び／又はコストパフォーマンスがより高いＯＬＥＤパネルと置き換える又はそのＯＬＥＤパネルに調整することが可能である。
【００３１】
従って、一部の実施形態において、照明部１０３は一体化されて、パネルの１つ（例えば、上パネル１０７ａ）の一部を構成することが可能である。一部の実施形態においては、照明部は、パネルの１つの上部（例えば、パネル１０７ａの上部）に位置付けられた、又はパネルの１つの内側面に備えられた（例えば、頂部パネル１０７ａの下面に備えられた）別個のユニットであることが可能である。そのように別個の照明部１０３を備えることは、接着剤による接続、ボルト、ねじ、ファスナ及び／又は他の接続により行うことが可能である、それらの実施形態の何れかについて、照明部１０３が、筐体のパネルと一体的に形成される、又は筐体とは別個に形成され、次いでその筐体と結合される場合、照明部１０３は筐体１０１“上に”備えられる。
【００３２】
一部の実施形態においては、光治療のための光の所望の強度を得るように、本発明の照明部のために用いられるＯＬＥＤパネルは、特定の表面積を有する必要がある。これは、所与のタイプのＯＬＥＤ技術により得られる光の強度に依存し得る。例えば、一部の例においては、０．５ｍ２のＯＬＥＤ表面積が、１５００乃至２０００Ｌｍの強度を達成するのに必要である。一部の実施形態においては、複数のＯＬＥＤパネルが、所望の光の強度を得るのに必要である。複数のＯＬＥＤパネルを同様に、他の目的で用いることが可能である。図１は１つのＯＬＥＤパネルを示している一方、複数のＯＬＥＤパネルは頂部１０７ａに沿って間隔を空けられることが可能である。図２Ａは、光治療装置２００の照明部２０３がＯＬＥＤパネル２０３ａ乃至２０３ｅを有する（ＯＬＥＤパネル２０３ｂは隠れていて、故に、図２Ａにおいては符号付けされていない）ことを示している。図２Ｂは、光治療装置２５０の照明部２５３がＯＬＥＤパネル２５３ａ及び２５３ｂを有することを示している。
【００３３】
一部の実施形態においては、ＯＬＥＤパネルは、頂部以外の筐体１０１の部分に位置付けられることが可能である。一例においては、底部１０７ｂのＯＬＥＤパネルの位置は、患者の皮膚の大きい表面積を光に曝し得、それにより、治療の効果を高めることが可能である。一部の実施形態においては、筐体１０１の１つ又は複数の部分（例えば、部分１０７ａ乃至１０７ｆ）は、患者に１つ又は複数のＯＬＥＤパネルから患者により良好に光を投射するように角度決めされた及び／又は方向付けされた面を有することが可能である。図４は、光治療装置４００であって、照明部４０３ａは、筐体４０１の頂部４０１ａに備えられた第１ＯＬＥＤパネル４０３ａと、底部４０１ｂの方の側部４０１ｃ乃至４０１ｆにおいて備えられた付加的なＯＬＥＤパネル４０３ｃ乃至４０３ｆを有する、光治療装置４００を示している。この位置に付加的なＯＬＥＤパネルを位置付けることは、患者により多い光照射をもたらし、アクセス開口４０５ａ及び４０５ｂの位置との干渉を回避する。
【００３４】
本発明については上で、現在、最も実際的で好適な実施形態であるとみなされるものに基づいて、例示目的で説明しているが、そのような詳細は単に例示目的であって、本発明は開示されている実施形態に限定されるものではなく、特許請求の範囲における範囲及び主旨から逸脱することなく、同等な構成及び変形をカバーするように意図されていることを理解することができる。例えば、本発明は、可能な範囲内で、何れかの実施形態の１つ又は複数の特徴が何れかの他の実施形態の１つ又は複数の特徴と組み合わされることが可能であることが理解される必要がある。
【図１】
0005702777.tif 000002
【図２Ａ】
0005702777.tif 000003
【図２Ｂ】
0005702777.tif 000004
【図３】
0005702777.tif 000005
【図４】
0005702777.tif 000006
【図５】
0005702777.tif 000007
【図６】
0005702777.tif 000008